(57)【要約】  取り付けられるためのスペースが増大することなく、第１の電子デバイス素子と第１の接続部との間および第２の電子デバイス素子と第２の接続部との間に発生する応力を低減させることができるインターコネクタを得る。  ダイオード２と太陽電池４とを電気的に接続するインターコネクタ１において、ダイオード２の電極に接続される第１の接続部３と、太陽電池４の電極に接続される第２の接続部５と、第１の接続部３と第２の接続部５との間に並列して設けられ、第１の接続部３と第２の接続部５とを電気的に接続した複数の帯形状の中間部６とを備え、中間部６は、横幅方向の一方向に湾曲した第１の湾曲部７と、一方向とは反対方向の他方向に湾曲した第２の湾曲部８とを有している。
2010007946.tif 000002
【特許請求の範囲】
【請求項１】
第１の電子デバイス素子と第２の電子デバイス素子とを電気的に接続するインターコネクタにおいて、
前記第１の電子デバイス素子の電極に接続される第１の接続部と、
前記第２の電子デバイス素子の電極に接続される第２の接続部と、
前記第１の接続部と前記第２の接続部との間に並列して設けられ、前記第１の接続部と前記第２の接続部とを電気的に接続した複数の帯形状の中間部とを備え、
前記中間部は、横幅方向の一方向に湾曲した第１の湾曲部と、前記一方向とは反対方向の他方向に湾曲した第２の湾曲部とを有していることを特徴とするインターコネクタ。
【請求項２】
前記第１の湾曲部と前記第２の湾曲部とは、始点と曲率中心とを結んだ直線と、終点と前記曲率中心とを結んだ直線との間の角度が互いに等しいことを特徴とする請求項１に記載のインターコネクタ。
【請求項３】
前記中間部は、複数の前記第１の湾曲部および複数の前記第２の湾曲部を有していることを特徴とする請求項１または請求項２に記載のインターコネクタ。
【請求項４】
隣り合った各前記中間部は、各前記第１の湾曲部同士が互いに隣接するとともに各前記第２の湾曲部同士が互いに隣接し、
隣接した各前記第１の湾曲部は曲率中心が同一の円弧形状であるとともに、隣接した各前記第１の湾曲部の間の曲率半径の差は一定であり、
隣接した各前記第２の湾曲部は曲率中心が同一の円弧形状であるとともに、隣接した各前記第２の湾曲部の間の曲率半径の差が一定であることを特徴とする請求項１ないし請求項３の何れか１項に記載のインターコネクタ。
【請求項５】
各前記中間部は、前記第１の湾曲部および前記第２の湾曲部の曲率半径の３乗の合計値が互いに等しいことを特徴とする請求項１ないし請求項４の何れか１項に記載のインターコネクタ。
【発明の詳細な説明】
【技術分野】
【０００１】
この発明は、第１の電子デバイス素子と第２の電子デバイス素子とを電気的に接続するインターコネクタに関する。
【背景技術】
【０００２】
従来、第１の太陽電池と第２の太陽電池とを電気的に接続するインターコネクタにおいて、前記第１の太陽電池の電極に接続される第１の接続部と、前記第２の太陽電池の電極に接続される第２の接続部と、前記第１の接続部と前記第２の接続部との間に設けられ、前記第１の接続部と前記第２の接続部とを電気的に接続した帯形状の中間部とを備え、前記中間部は、前記第１の太陽電池と前記第２の太陽電池との間の距離に合わせて撓み変形するために、長手方向に沿った断面がＵ字形状となるように湾曲されているインターコネクタが知られている（例えば、特許文献１参照）。
前記第１の太陽電池、前記第２の太陽電池および前記インターコネクタの温度が変化した場合に、それぞれの熱膨張係数の違いによって、前記インターコネクタの温度変化による変形量と、前記第１の太陽電池および前記第２の太陽電池の温度変化による変形量との間に差が生じるものの、前記第１の太陽電池と前記第２の太陽電池との間の距離に合わせて前記中間部が撓み変形することで、前記第１の太陽電池と前記第１の接続部との間および前記第２の太陽電池と前記第２の接続部との間に発生する応力が低減する。
【先行技術文献】
【特許文献】
【０００３】
【特許文献１】特開昭６２−１２８５７３号公報
【発明の概要】
【発明が解決しようとする課題】
【０００４】
しかしながら、このものの場合、中間部が断面Ｕ字形状であるので、インターコネクタを取り付けるために必要なスペースが増大してしまうという問題点があった。【０００５】
この発明は、上述のような問題点を解決することを課題とするものであって、その目的は、取り付けられるためのスペースが増大することなく、第１の電子デバイス素子と第１の接続部との間および第２の電子デバイス素子と第２の接続部との間に発生する応力を低減させることができるインターコネクタを提供するものである。
【課題を解決するための手段】
【０００６】
この発明に係るインターコネクタは、第１の電子デバイス素子と第２の電子デバイス素子とを電気的に接続するインターコネクタにおいて、前記第１の電子デバイス素子の電極に接続される第１の接続部と、前記第２の電子デバイス素子の電極に接続される第２の接続部と、前記第１の接続部と前記第２の接続部との間に並列して設けられ、前記第１の接続部と前記第２の接続部とを電気的に接続した複数の帯形状の中間部とを備え、前記中間部は、横幅方向の一方向に湾曲した第１の湾曲部と、前記一方向とは反対方向の他方向に湾曲した第２の湾曲部とを有している。
【発明の効果】
【０００７】
この発明に係るインターコネクタによれば、中間部は、横幅方向の一方向に湾曲した第１の湾曲部と、一方向とは反対方向の他方向に湾曲した第２の湾曲部とを有しているので、取り付けられるスペースが増大することなく、第１の電子デバイス素子と第１の接続部との間および第２の電子デバイス素子と第２の接続部との間に発生する応力を低減させることができる。
【図面の簡単な説明】
【０００８】
【図１】この発明の実施の形態１に係るインターコネクタと、このインターコネクタが取り付けられたダイオードおよび太陽電池等とを示す側面図である。
【図２】図１のインターコネクタ、ダイオードおよび太陽電池を示す下面図である。
【図３】図２のインターコネクタ、ダイオードおよび太陽電池の要部を示す拡大図である。
【図４】この発明の実施の形態２に係るインターコネクタと、このインターコネクタが取り付けられたダイオードおよび太陽電池とを示す下面図である。
【図５】図４のインターコネクタ、ダイオードおよび太陽電池の要部を示す拡大図である。
【図６】この発明の実施の形態３に係るインターコネクタと、このインターコネクタが取り付けられたダイオードおよび太陽電池とを示す下面図である。
【図７】図６のインターコネクタ、ダイオードおよび太陽電池の要部を示す拡大図である。
【発明を実施するための形態】
【０００９】
以下、この発明の各実施の形態を図に基づいて説明するが、各図において、同一または相当の部材、部位については、同一符号を付して説明する。
実施の形態１．
図１はこの実施の形態に係るインターコネクタ１と、このインターコネクタ１が取り付けられたダイオード２および太陽電池４等とを示す側面図、図２は図１のインターコネクタ１、ダイオード２および太陽電池４を示す下面図、図３は図２のインターコネクタ１、ダイオード２および太陽電池４の要部を示す拡大図である。
この実施の形態に係るインターコネクタ１は、第１の電子デバイス素子である平板形状のダイオード２の電極に接続される第１の接続部３と、ダイオード２と同一平面上に配置された第２の電子デバイス素子である平板形状の太陽電池４の電極に接続される第２の接続部５と、第１の接続部３と第２の接続部５との間に並列して設けられた、第１の接続部３と第２の接続部５とを電気的に接続した６本の帯形状の中間部６とを備えている。
インターコネクタ１は金属から構成され、ダイオード２および太陽電池４は半導体から構成されている。
太陽電池４は、ＩＩＩ−Ｖ族化合物半導体電池であり、太陽光を電気に変換する効率が高いものの、逆方向耐圧が低いので、ダイオード２によって、太陽電池４に逆方向の電圧が印加されることが防がれている。
６本の並列された中間部６のうち、片側３本と反対側の３本とは、インターコネクタ１の長手方向に沿った中心線を境にして、互いに反転した位置に配置されている。
【００１０】
並列された片側３本の各中間部６は、第１の接続部３側の端部と、第２の接続部５側の端部のそれぞれに設けられた、横幅方向の一方向に湾曲した第１の湾曲部７と、２個の第１の湾曲部７の間に設けられた、一方向とは反対方向の他方向に湾曲した２個の第２の湾曲部８とを有している。
なお、第１の湾曲部７および第２の湾曲部８の数はこのものに限らず、その他の数であってもよい。
第１の湾曲部７と第２の湾曲部８とは、始点と曲率中心とを結んだ直線と、終点と曲率中心とを結んだ直線との間の角度が互いに等しくなるように湾曲されている。
【００１１】
インターコネクタ１は、ダイオード２および太陽電池４の一方の面に設けられており、ダイオード２および太陽電池４の反インターコネクタ１側の面には、カバーグラス接着剤９を介してカバーグラス１０が取り付けられている。
インターコネクタ１、ダイオード２、太陽電池４およびカバーグラス１０の温度の変化した場合に、それぞれの熱膨張係数の違いによって、インターコネクタ１の温度変化による変形量と、ダイオード２、太陽電池４およびカバーグラス１０の温度変化による変形量との間に差が生じる。
しかしながら、中間部６は、ダイオード２と太陽電池４との間の距離に合わせて変形することでダイオード２と第１の接続部３との間および太陽電池４と第２の接続部５との間に発生する応力が低減する。
中間部６の剛性は、横幅方向の寸法の３乗に比例するので、横幅方向の寸法を小さくするほど、中間部６は変形しやすくなる。
したがって、例えば、所定の断面積を有した１本の中間部と比べて、合計の断面積を同じにしたまま、３本に分割された中間部は、全体の等価ばね定数を９分の１に小さくすることができ、その結果、ダイオード２と第１の接続部３との間および太陽電池４と第２に接続部５との間に発生する応力が９分の１に低減される。
【００１２】
以上説明したように、この実施の形態に係るインターコネクタ１によれば、複数の帯形状の中間部６を備え、それぞれの中間部６は、横幅方向の一方向に湾曲した第１の湾曲部７および一方向とは反対方向の他方向に湾曲した第２の湾曲部８とを有しているので、インターコネクタ１を取り付けるためのスペースが増大することなく、ダイオード２と第１の接続部３との間および太陽電池４と第２の接続部５との間に発生する応力を低減させることができる。
その結果、インターコネクタ１の高寿命化を図ることができる。
【００１３】
また、第１の湾曲部７と第２の湾曲部８とは、始点と曲率中心とを結んだ直線と、終点と曲率中心とを結んだ直線との間の角度が互いに等しくなるように湾曲されているので、第１の接続部３と第２の接続部５とを互いに対向した位置に配置することができる。
【００１４】
また、それぞれの中間部６は、２個の第１の湾曲部７および２個の第２の湾曲部８を有しているので、１個の第１の湾曲部７および１個の第２の湾曲部８を有した中間部と比べて、ダイオード２と第１の接続部３との間および太陽電池４と第２の接続部５との間に発生する応力をさらに低減させることができる。
【００１５】
実施の形態２．
図４はこの実施の形態に係るインターコネクタ１と、このインターコネクタ１が取り付けられたダイオード２および太陽電池４とを示す下面図、図５は図４のインターコネクタ１、ダイオード２および太陽電池４の要部を示す拡大図である。
この実施の形態に係るインターコネクタ１は、８本の並列された帯形状の中間部６を備えており、８本の中間部６のうち、片側４本と反対側の４本とは、インターコネクタ１の長手方向に沿った中心線を境にして、互いに反転した位置に配置されている。
隣り合った各中間部６は、各第１の湾曲部７同士が互いに隣接するとともに各第２の湾曲部８同士が互いに隣接している。
隣接した各第１の湾曲部７は曲率中心が同一の円弧形状であるとともに、隣接した各第１の湾曲部７の間の曲率半径の差は一定である。
隣接した各第２の湾曲部８は曲率中心が同一の円弧形状であるとともに、隣接した各第２の湾曲部８の間の曲率半径の差は一定である。
これにより、インターコネクタ１の外形を小さくすることができる。
また、並列した４本の中間部６のうち、両外側の各中間部６は、互いに等価ばね定数が等しく、内側の各中間部６も、互いに等価ばね定数が等しいので、並列した４本の中間部６のうち、片側の２本の中間部６の等価ばね定数は、反対側の２本の中間部６の等価ばね定数と等しくなる。
その他の構成は、実施の形態１と同様である。
【００１６】
この実施の形態に係るインターコネクタ１によれば、隣り合った各中間部６は、各第１の湾曲部７同士が互いに隣接するとともに各第２の湾曲部８同士が互いに隣接し、隣接した各第１の湾曲部７は曲率中心が同一の円弧形状であるとともに、隣接した各第１の湾曲部７の間の曲率半径の差が一定であり、隣接した各第２の湾曲部８は曲率中心が同一の円弧形状であるとともに、隣接した各第２の湾曲部８の間の曲率半径の差が一定であるので、隣接した各中間部６の間を狭くすることができ、インターコネクタ１の外形を小さくすることができる。
【００１７】
実施の形態３．
図６はこの実施の形態に係るインターコネクタ１と、このインターコネクタ１が取り付けられたダイオード２および太陽電池４とを示す下面図、図７は図６のインターコネクタ１、ダイオード２および太陽電池４の要部を示す拡大図である。
この実施の形態に係るインターコネクタ１は、６本の並列した帯形状の中間部６を備えており、６本の中間部６のうち、片側３本と反対側の３本とは、インターコネクタ１の長手方向に沿った中心線を境にして、互いに反転した位置に配置されている。
各中間部６は、第１の湾曲部７および第２の湾曲部８の曲率半径の３乗の合計値が互いに等しくなっている。
つまり、３本の中間部６のうち、インターコネクタ１の長手方向に沿った中心線から最も離れた位置に配置された中間部６の各第１の湾曲部７の曲率半径の値Ｒ１および各第２の湾曲部８の曲率半径の値Ｒ３の３乗の合計値は、隣接した中間部６の各第１の湾曲部７の曲率半径の値Ｒ２および各第２の湾曲部８の曲率半径の値Ｒ２の３乗の合計値と等しく、さらに、インターコネクタ１の長手方向に沿った中心線から最も近い位置に配置された中間部６の各第１の湾曲部７の曲率半径の値Ｒ３および各第２の湾曲部８の曲率半径の値Ｒ１の３乗の合計値とも等しい。
各中間部６は、第１の湾曲部７と第２の湾曲部８との間の直線部分が、インターコネクタ１の長手方向に直交した方向を向いており、また、その直線部分の長さが互いに等しくなっている。
中間部６の等価ばね定数は、第１の湾曲部７および第２の湾曲部８の曲率半径の３乗の合計値と、荷重方向であるインターコネクタ１の長手方向に直交した方向の直線部分の３乗の合計値との和に比例するので、各中間部６の等価ばね定数が互いに等しくなる。
その他の構成は、実施の形態１と同様である。
【００１８】
この実施の形態に係るインターコネクタ１によれば、各中間部６は、第１の湾曲部７および第２の湾曲部８の曲率半径の３乗の合計値が互いに等しいので、各中間部６の等価ばね定数が互いに等しくすることができる。
その結果、各中間部６の等価ばね定数が異なることによって発生するダイオード２と第１の接続部３との間および太陽電池４と第２の接続部５との間の応力を低減させることができる。
【００１９】
なお、上記各実施の形態では、第１の電子デバイス素子をダイオード２とし、第２の電子デバイス素子を太陽電池４として説明したが、勿論このものに限らず、例えば、第１の電子デバイス素子を第１の太陽電池、第２の電子デバイス素子を第２の太陽電池としてもよい。
【符号の説明】
【００２０】
１  インターコネクタ、２  ダイオード（第１の電子デバイス素子）、３  第１の接続部、４  太陽電池（第２の電子デバイス素子）、５  第２の接続部、６  中間部、７  第１の湾曲部、８  第２の湾曲部、９  カバーグラス接着剤、１０  カバーグラス。
【図１】
2010007946.tif 000003
【図２】
2010007946.tif 000004
【図３】
2010007946.tif 000005
【図４】
2010007946.tif 000006
【図５】
2010007946.tif 000007
【図６】
2010007946.tif 000008
【図７】
2010007946.tif 000009
【手続補正書】
【提出日】平成22年8月26日(2010.8.26)
【手続補正２】
【補正対象書類名】明細書
【補正対象項目名】０００１
【補正方法】変更
【補正の内容】
【０００１】
この発明は、第１の電子デバイス素子と第２の電子デバイス素子とを電気的に接続するインターコネクタおよびこれを備えた太陽電池装置に関する。
【手続補正３】
【補正対象書類名】明細書
【補正対象項目名】０００６
【補正方法】変更
【補正の内容】
【０００６】
この発明に係るインターコネクタは、第１の電子デバイス素子と第２の電子デバイス素子とを電気的に接続するインターコネクタにおいて、前記第１の電子デバイス素子の電極に接続される第１の接続部と、前記第２の電子デバイス素子の電極に接続される第２の接続部と、前記第１の接続部と前記第２の接続部との間に並列して設けられ、前記第１の接続部と前記第２の接続部とを電気的に接続した複数の帯形状の中間部とを備え、前記中間部は、横幅方向の一方向に湾曲した第１の湾曲部と、前記一方向とは反対方向の他方向に湾曲した第２の湾曲部とを有し、各前記中間部は、前記横幅方向に互いに離れて配置されている。
【手続補正４】
【補正対象書類名】特許請求の範囲
【補正対象項目名】全文
【補正方法】変更
【補正の内容】
【特許請求の範囲】
【請求項１】
第１の電子デバイス素子と第２の電子デバイス素子とを電気的に接続するインターコネクタにおいて、
前記第１の電子デバイス素子の電極に接続される第１の接続部と、
前記第２の電子デバイス素子の電極に接続される第２の接続部と、
前記第１の接続部と前記第２の接続部との間に並列して設けられ、前記第１の接続部と前記第２の接続部とを電気的に接続した複数の帯形状の中間部とを備え、
前記中間部は、横幅方向の一方向に湾曲した第１の湾曲部と、前記一方向とは反対方向の他方向に湾曲した第２の湾曲部とを有し、
各前記中間部は、前記横幅方向に互いに離れて配置されていることを特徴とするインターコネクタ。
【請求項２】
前記第１の湾曲部と前記第２の湾曲部とは、始点と曲率中心とを結んだ直線と、終点と前記曲率中心とを結んだ直線との間の角度が互いに等しいことを特徴とする請求項１に記載のインターコネクタ。
【請求項３】
前記中間部は、複数の前記第１の湾曲部および複数の前記第２の湾曲部を有していることを特徴とする請求項１または請求項２に記載のインターコネクタ。
【請求項４】
隣り合った各前記中間部は、各前記第１の湾曲部同士が互いに隣接するとともに各前記第２の湾曲部同士が互いに隣接し、
隣接した各前記第１の湾曲部は曲率中心が同一の円弧形状であるとともに、隣接した各前記第１の湾曲部の間の曲率半径の差は一定であり、
隣接した各前記第２の湾曲部は曲率中心が同一の円弧形状であるとともに、隣接した各前記第２の湾曲部の間の曲率半径の差が一定であることを特徴とする請求項１ないし請求項３の何れか１項に記載のインターコネクタ。
【請求項５】
各前記中間部は、前記第１の湾曲部および前記第２の湾曲部の曲率半径の３乗の合計値が互いに等しいことを特徴とする請求項１ないし請求項４の何れか１項に記載のインターコネクタ。
【請求項６】
請求項１ないし請求項５の何れか１項に記載のインターコネクタを備えた太陽電池装置であって、
前記インターコネクタにより互いに電気的に接続された前記第１の電子デバイス素子および前記第２の電子デバイス素子を備えたことを特徴とする太陽電池装置。
【国際調査報告】
2010007946.tif 000010
2010007946.tif 000011
2010007946.tif 000012
2010007946.tif 000013